(57)【要約】      （修正有）【課題】多くのコミュニティを簡単に形成することが可能であり、参加者間の交流を促進させ、コミュニティの活性化を図ることが可能な情報通信システム、及びグループ参加登録方法等を提供する。【解決手段】複数の端末装置と、夫々の前記端末装置と通信手段を介して通信可能であって、前記夫々の端末装置のユーザ毎に、少なくとも当該ユーザのユーザ識別情報と、当該ユーザが所属するグループのグループ識別情報と、を対応付けて登録するデータベースを有する情報管理装置と、を備える情報通信システムであって、１のユーザの前記端末装置は、予め当該１のユーザのユーザ識別情報を記憶する識別情報記憶手段と、当該１のユーザの入力手段を介した指示にしたがって、他のユーザの前記端末装置又はカードを通じて当該他のユーザが所属するグループのグループ識別情報を取得する。【選択図】図８
2007206740.tif 000002
【特許請求の範囲】
【請求項１】
複数の端末装置と、
夫々の前記端末装置と通信手段を介して通信可能であって、前記夫々の端末装置のユーザ毎に、少なくとも当該ユーザのユーザ識別情報と、当該ユーザが所属するグループのグループ識別情報と、を対応付けて登録するデータベースを有する情報管理装置と、を備える情報通信システムであって、
１のユーザの前記端末装置は、
予め当該１のユーザのユーザ識別情報を記憶する識別情報記憶手段と、
当該１のユーザの入力手段を介した指示にしたがって、他のユーザの前記端末装置又はカードを通じて当該他のユーザが所属するグループのグループ識別情報を取得する識別情報取得手段と、
前記取得されたグループ識別情報及び前記記憶されたユーザ識別情報を含むグループ参加登録要求情報を前記情報管理装置に送信する参加登録要求送信手段と、を備え、
前記情報管理装置は、
前記端末装置から送信されてきた前記グループ参加登録要求情報を受信する参加登録要求受信手段と、
前記受信されたグループ参加登録情報に含まれるユーザ識別情報であって、前記データベースに登録されているユーザ識別情報に対応付けて、前記受信されたグループ参加登録情報に含まれるグループ識別情報を登録する参加登録手段と、
を備えることを特徴とする情報通信システム。
【請求項２】
請求項１に記載の情報通信システムにおいて、
前記１のユーザの端末装置は、
入力手段を介して前記１のユーザにより入力された特定のグループ宛のメッセージと、当該特定のグループのグループ識別情報、とを含むメッセージ登録要求情報を前記情報管理装置に送信するメッセージ登録要求送信手段を備え、
前記情報管理装置は、
前記端末装置から送信されてきた前記メッセージ登録要求情報を受信するメッセージ登録要求受信手段と、
前記受信されたメッセージ登録要求情報に含まれるメッセージ及びグループ識別情報を対応付けて前記データベースに登録するメッセージ登録手段と、を備え、
他のユーザの前記端末装置は、
当該他のユーザが所属するグループのグループ識別情報を取得する識別情報取得手段と、
前記取得されたグループ識別情報を含むメッセージ要求情報を前記情報管理装置に送信するメッセージ要求送信手段と、を備え、
前記情報管理装置は、
前記端末装置から送信されてきた前記メッセージ要求情報を受信するメッセージ要求受信手段と、
前記受信されたメッセージ要求情報に含まれるグループ識別情報にメッセージが対応付けられて前記データベースに登録されているか否かを判別し、登録されている場合には、当該メッセージを取得し、前記他のユーザの端末装置に送信するメッセージ送信手段と、
を備えることを特徴とする情報通信システム。
【請求項３】
請求項１又は２に記載の情報通信システムにおいて、
前記端末装置は、そのユーザが所属するグループのグループ識別情報を有するコードを表示画面上に表示させる表示手段を備え、
前記１のユーザの前記端末装置の前記識別情報取得手段は、前記他のユーザの前記端末装置の表示画面上に表示されたコードを読み取ることによって前記グループ識別情報を取得することを特徴とする情報通信システム。
【請求項４】
請求項１乃至３の何れか一項に記載の情報通信システムにおいて、
前記データベースに登録された前記グループ識別情報には、グループ名が対応付けられて登録されており、
前記端末装置は、
入力手段を介してユーザにより入力されたグループ名と、前記記憶されたユーザ識別情報と、を含むグループ新規登録要求情報を前記情報管理装置に送信する新規登録要求送信手段と、を備え、
前記情報管理装置は、
前記端末装置から送信されてきた前記グループ新規登録要求情報を受信する新規登録要求受信手段と、
前記受信されたグループ新規登録情報に含まれるグループ名が既に前記データベースに登録されているか否かを判別し、登録されていない場合には、当該グループ名に対して固有のグループ識別情報を付与する識別情報付与手段と、
前記グループ名とこれに付与された前記グループ識別情報を対応付けて前記データベースに登録すると共に、前記受信されたグループ新規登録情報に含まれるユーザ識別情報であって、前記データベースに登録されているユーザ識別情報に対応付けて、前記グループ識別情報を登録する新規登録手段と、
を備えることを特徴とする情報通信システム。
【請求項５】
請求項１乃至４の何れか一項に記載の情報通信システムにおいて、
前記データベースには、前記夫々の端末装置のユーザ毎に、当該ユーザのユーザ識別情報に対応付けて当該ユーザのプロフィール情報が登録されており、
前記端末装置は、
前記識別情報記憶手段に記憶されたユーザ識別情報を含むプロフィール要求情報を前記情報管理装置に送信するプロフィール要求送信手段を備え、
前記情報管理装置は、
前記端末装置から送信されてきた前記プロフィール要求情報を受信するプロフィール要求受信手段と、
前記受信されたプロフィール要求情報に含まれるユーザ識別情報であって、前記データベースに登録されているユーザ識別情報に対応付けられているプロフィール情報を、前記端末装置に対して送信するプロフィール情報送信手段と、
を備えることを特徴とする情報通信システム。
【請求項６】
請求項１乃至５の何れか一項に記載の情報通信システムにおいて、
前記データベースには、前記夫々の端末装置のユーザ毎に、当該ユーザのユーザ識別情報に対応付けて当該ユーザの現在位置を示すプレゼンス情報が登録されており、
前記端末装置は、
前記識別情報記憶手段に記憶されたユーザ識別情報を含むプレゼンス要求情報を前記情報管理装置に送信するプレゼンス要求送信手段を備え、
前記情報管理装置は、
前記端末装置から送信されてきた前記プレゼンス要求情報を受信するプレゼンス要求受信手段と、
前記受信されたプレゼンス要求情報に含まれるユーザ識別情報であって、前記データベースに登録されているユーザ識別情報に対応付けられているプレゼンス情報を、前記端末装置に対して送信するプレゼンス情報送信手段と、
を備えることを特徴とする情報通信システム。
【請求項７】
請求項１乃至６の何れか一項に記載の情報通信システムに含まれることを特徴とする情報管理装置。
【請求項８】
コンピュータを、請求項７に記載の情報管理装置として機能させることを特徴とする情報管理処理プログラム。
【請求項９】
請求項１乃至６の何れか一項に記載の情報通信システムに含まれることを特徴とする端末装置。    
【請求項１０】
コンピュータを、請求項９に記載の端末装置として機能させることを特徴とする端末処理プログラム。
【請求項１１】
複数の端末装置と、夫々の前記端末装置と通信手段を介して通信可能であって、前記夫々の端末装置のユーザ毎に、少なくとも当該ユーザのユーザ識別情報と、当該ユーザが所属するグループのグループ識別情報と、を対応付けて登録するデータベースを有する情報管理装置と、を備える情報通信システムにおけるグループ参加登録方法であって、
当該１のユーザの入力手段を介した指示にしたがって、他のユーザの前記端末装置又はカードを通じて当該他のユーザが所属するグループのグループ識別情報を取得する工程と、
前記取得されたグループ識別情報及び予め記憶されたユーザ識別情報を含むグループ参加登録要求情報を前記情報管理装置に送信する工程と、を備え、
前記情報管理装置は、
前記端末装置から送信されてきた前記グループ参加登録要求情報を受信する工程と、
前記受信されたグループ参加登録情報に含まれるユーザ識別情報であって、前記データベースに登録されているユーザ識別情報に対応付けて、前記受信されたグループ参加登録情報に含まれるグループ識別情報を登録する工程と、
を備えることを特徴とするグループ参加登録方法。
【発明の詳細な説明】
【技術分野】
【０００１】
本発明は、複数の端末装置と、夫々の前記端末装置と通信手段を介して通信可能であって、前記夫々の端末装置のユーザ毎に、少なくとも当該ユーザのユーザ識別情報と、当該ユーザが所属するグループのグループ識別情報と、を対応付けて登録するデータベースを有する情報管理装置と、を備える情報通信システム等の技術分野に関する。
【背景技術】
【０００２】
従来から国内には様々な学会が存在し、学会の各参加者は、その学会の会場において多くの他の参加者と出会うことになる。そのような参加者間の出会いの際における例えば名刺交換やその場での会話は、その後の交流を深めるきっかけになると考えられるが、相手の参加者の詳細なプロフィールを把握することは困難である。
【０００３】
また、学会で出会った何人かの参加者間で共通の目的等を持ったグループとしての、いわゆるコミュニティを形成し交流を深めることは有意義である。
【０００４】
このようなコミュニティ形成に関する技術としては、例えば、特許文献１〜３が挙げられる。
【０００５】
特許文献１には、会員各自が抱える友人間の交流を促進し、コミュニティの運営を円滑ならしめる、会員ごとの友人データベースを管理する技術が開示されている。
【０００６】
また、特許文献２には、コミュニティグループを単位として、情報の共有が出来ると共に、より効果的に各種情報の配信を行うことを可能とする技術が開示されている。
【０００７】
また、特許文献３には、開放性が高く、いろいろな人々の集まりにおける利用が最適な仮想的コミュニティ形成技術が開示されている。
【特許文献１】特開２００２−５６０００号公報
【特許文献２】特開２００３−９１６０３号公報
【特許文献３】特開２００２−１９７０２４号公報
【発明の開示】
【発明が解決しようとする課題】
【０００８】
しかしながら、従来の技術によっても、様々なコミュニティを簡単に形成して情報を共有することは容易ではなく、したがって、そのような参加者間の交流を深めることには限界があった。
【０００９】
本発明は、以上の点に鑑みてなされたものであり、多くのコミュニティを簡単に形成することが可能であり、参加者間の交流を促進させ、コミュニティの活性化を図ることが可能な情報通信システム、及びグループ参加登録方法等を提供することを課題とする。
【課題を解決するための手段】
【００１０】
上記課題を解決するために、請求項１に記載の発明は、複数の端末装置と、夫々の前記端末装置と通信手段を介して通信可能であって、前記夫々の端末装置のユーザ毎に、少なくとも当該ユーザのユーザ識別情報と、当該ユーザが所属するグループのグループ識別情報と、を対応付けて登録するデータベースを有する情報管理装置と、を備える情報通信システムであって、１のユーザの前記端末装置は、予め当該１のユーザのユーザ識別情報を記憶する識別情報記憶手段と、当該１のユーザの入力手段を介した指示にしたがって、他のユーザの前記端末装置又はカードを通じて当該他のユーザが所属するグループのグループ識別情報を取得する識別情報取得手段と、前記取得されたグループ識別情報及び前記記憶されたユーザ識別情報を含むグループ参加登録要求情報を前記情報管理装置に送信する参加登録要求送信手段と、を備え、前記情報管理装置は、前記端末装置から送信されてきた前記グループ参加登録要求情報を受信する参加登録要求受信手段と、前記受信されたグループ参加登録情報に含まれるユーザ識別情報であって、前記データベースに登録されているユーザ識別情報に対応付けて、前記受信されたグループ参加登録情報に含まれるグループ識別情報を登録する参加登録手段と、を備えることを特徴とする。
【００１１】
請求項２に記載の発明は、請求項１に記載の情報通信システムにおいて、前記１のユーザの端末装置は、入力手段を介して前記１のユーザにより入力された特定のグループ宛のメッセージと、当該特定のグループのグループ識別情報、とを含むメッセージ登録要求情報を前記情報管理装置に送信するメッセージ登録要求送信手段を備え、前記情報管理装置は、前記端末装置から送信されてきた前記メッセージ登録要求情報を受信するメッセージ登録要求受信手段と、前記受信されたメッセージ登録要求情報に含まれるメッセージ及びグループ識別情報を対応付けて前記データベースに登録するメッセージ登録手段と、を備え、他のユーザの前記端末装置は、当該他のユーザが所属するグループのグループ識別情報を取得する識別情報取得手段と、前記取得されたグループ識別情報を含むメッセージ要求情報を前記情報管理装置に送信するメッセージ要求送信手段と、を備え、前記情報管理装置は、前記端末装置から送信されてきた前記メッセージ要求情報を受信するメッセージ要求受信手段と、前記受信されたメッセージ要求情報に含まれるグループ識別情報にメッセージが対応付けられて前記データベースに登録されているか否かを判別し、登録されている場合には、当該メッセージを取得し、前記他のユーザの端末装置に送信するメッセージ送信手段と、を備えることを特徴とする。
【００１２】
請求項３に記載の発明は、請求項１又は２に記載の情報通信システムにおいて、前記端末装置は、そのユーザが所属するグループのグループ識別情報を有するコードを表示画面上に表示させる表示手段を備え、前記１のユーザの前記端末装置の前記識別情報取得手段は、前記他のユーザの前記端末装置の表示画面上に表示されたコードを読み取ることによって前記グループ識別情報を取得することを特徴とする。
【００１３】
請求項４に記載の発明は、請求項１乃至３の何れか一項に記載の情報通信システムにおいて、前記データベースに登録された前記グループ識別情報には、グループ名が対応付けられて登録されており、前記端末装置は、入力手段を介してユーザにより入力されたグループ名と、前記記憶されたユーザ識別情報と、を含むグループ新規登録要求情報を前記情報管理装置に送信する新規登録要求送信手段と、を備え、前記情報管理装置は、前記端末装置から送信されてきた前記グループ新規登録要求情報を受信する新規登録要求受信手段と、前記受信されたグループ新規登録情報に含まれるグループ名が既に前記データベースに登録されているか否かを判別し、登録されていない場合には、当該グループ名に対して固有のグループ識別情報を付与する識別情報付与手段と、前記グループ名とこれに付与された前記グループ識別情報を対応付けて前記データベースに登録すると共に、前記受信されたグループ新規登録情報に含まれるユーザ識別情報であって、前記データベースに登録されているユーザ識別情報に対応付けて、前記グループ識別情報を登録する新規登録手段と、を備えることを特徴とする。
【００１４】
請求項５に記載の発明は、請求項１乃至４の何れか一項に記載の情報通信システムにおいて、前記データベースには、前記夫々の端末装置のユーザ毎に、当該ユーザのユーザ識別情報に対応付けて当該ユーザのプロフィール情報が登録されており、前記端末装置は、前記識別情報記憶手段に記憶されたユーザ識別情報を含むプロフィール要求情報を前記情報管理装置に送信するプロフィール要求送信手段を備え、前記情報管理装置は、前記端末装置から送信されてきた前記プロフィール要求情報を受信するプロフィール要求受信手段と、前記受信されたプロフィール要求情報に含まれるユーザ識別情報であって、前記データベースに登録されているユーザ識別情報に対応付けられているプロフィール情報を、前記端末装置に対して送信するプロフィール情報送信手段と、を備えることを特徴とする。
【００１５】
請求項６に記載の発明は、請求項１乃至５の何れか一項に記載の情報通信システムにおいて、前記データベースには、前記夫々の端末装置のユーザ毎に、当該ユーザのユーザ識別情報に対応付けて当該ユーザの現在位置を示すプレゼンス情報が登録されており、前記端末装置は、前記識別情報記憶手段に記憶されたユーザ識別情報を含むプレゼンス要求情報を前記情報管理装置に送信するプレゼンス要求送信手段を備え、前記情報管理装置は、前記端末装置から送信されてきた前記プレゼンス要求情報を受信するプレゼンス要求受信手段と、前記受信されたプレゼンス要求情報に含まれるユーザ識別情報であって、前記データベースに登録されているユーザ識別情報に対応付けられているプレゼンス情報を、前記端末装置に対して送信するプレゼンス情報送信手段と、を備えることを特徴とする。
【００１６】
請求項７に記載の情報管理装置は、請求項１乃至６の何れか一項に記載の情報通信システムに含まれることを特徴とする。
【００１７】
請求項８に記載の情報管理処理プログラムは、コンピュータを、請求項７に記載の情報管理装置として機能させることを特徴とする。
【００１８】
請求項９に記載の端末装置は、請求項１乃至６の何れか一項に記載の情報提供システムに含まれることを特徴とする。
【００１９】
請求項１０に記載の端末処理プログラムは、コンピュータを、請求項９に記載の端末装置として機能させることを特徴とする。
【００２０】
請求項１１に記載の発明は、複数の端末装置と、夫々の前記端末装置と通信手段を介して通信可能であって、前記夫々の端末装置のユーザ毎に、少なくとも当該ユーザのユーザ識別情報と、当該ユーザが所属するグループのグループ識別情報と、を対応付けて登録するデータベースを有する情報管理装置と、を備える情報通信システムにおけるグループ参加登録方法であって、当該１のユーザの入力手段を介した指示にしたがって、他のユーザの前記端末装置又はカードを通じて当該他のユーザが所属するグループのグループ識別情報を取得する工程と、前記取得されたグループ識別情報及び予め記憶されたユーザ識別情報を含むグループ参加登録要求情報を前記情報管理装置に送信する工程と、を備え、前記情報管理装置は、前記端末装置から送信されてきた前記グループ参加登録要求情報を受信する工程と、前記受信されたグループ参加登録情報に含まれるユーザ識別情報であって、前記データベースに登録されているユーザ識別情報に対応付けて、前記受信されたグループ参加登録情報に含まれるグループ識別情報を登録する工程と、を備えることを特徴とする。
【発明の効果】
【００２１】
本発明によれば、各参加者は、自己の端末装置を用いて様々な目的に合ったコミュニティを簡単に作り登録することができ、当該コミュニティに適合した他の参加者であって実際に出会った人を、そのコミュニティに招待して参加させることができる。従って、参加者間の交流を促進させ、様々なコミュニティの活性化を図ることができる。
【発明を実施するための最良の形態】
【００２２】
以下、本発明を実施するための最良の実施形態について、図面に基づいて説明する。なお、以下に説明する実施形態は、交流支援システムに対して本発明を適用した場合の実施形態である。
【００２３】
先ず、図１を参照して、本実施形態に係る交流支援システムの構成及び機能について説明する。
【００２４】
図１は、本実施形態に係る交流支援システムの全体構成例を示す図である。
【００２５】
図１に示すように、交流支援システムＳは、複数の端末装置としての複数の携帯端末１Ａ乃至１Ｄと、夫々の携帯端末１Ａ乃至１Ｄ（以下の説明において、何れかの携帯端末を示す場合には、携帯端末１と称する）と通信手段としてのネットワークＮＴを介して通信可能な情報管理装置としての情報管理サーバ２と、を備えて構成されている。
【００２６】
なお、ネットワークＮＴは、移動体通信網（無線基地局、交換局等を含む）及びインターネット等により構築されている。
【００２７】
携帯端末１Ａ乃至１Ｄとしては、例えば、携帯電話機、ＰＤＡ（Personal Digital Assistant）、及びＰＨＳ（Personal Handyphone System）等を適用することができる。
【００２８】
なお、本実施形態においては、携帯端末を例にとったが、これに限定されるものではなく、汎用のパーソナルコンピュータ（例えば、ノート型ＰＣ）であってもよい。
【００２９】
また、本実施形態において、携帯端末１Ａは、学会（例えば、電気学会）の参加者（以下、「学会参加者」という）により使用され、携帯端末１Ｂは、学会参加者Ｂにより使用され、携帯端末１Ｃは、学会参加者Ｃにより使用され、携帯端末１Ｄは、学会参加者Ｄにより使用される。
【００３０】
また、図１の例では、説明の便宜上、４つの携帯端末を示したが、実際には、学会には多数の参加者が在籍しているので、これより多くの携帯端末が存在することになる。
【００３１】
また、本実施形態においては、学会を例にとって説明するが、その他、何らかの集まりから構成される会（例えば、講演会、展示会など、匿名ではない人が集まる会）であれば本発明を適用可能である。
【００３２】
ところで、各学会参加者には名札（カードの一例）が与えられ、各学会参加者は、当該名札を例えば当該学会の会場で首にかけて下げられるようになっている。
【００３３】
図２は、学会参加者に与えられる名札の表面の一例を示す図である。
【００３４】
かかる名札の表面には、学会参加者の名称情報としての氏名、勤務している会社名及び所属部署名、当該会社の住所及び電話番号、当該学会参加者の会社の電子メールアドレス等が記述されており、更に、名札の表面には、その学会参加者の参加者ＩＤ（ユーザ識別情報の一例）を有する（参加者ＩＤを持つ（記録する））バーコード（ＱＲコードであっても良い）と、その参加者が所属するコミュニティ（グループの一例）のコミュニティＩＤ（グループ識別情報の一例）を有する（コミュニティＩＤを持つ）２次元コードであるＱＲコード（登録商標）が印字されている。なお、ＱＲコードの読み取り及び生成については公知であるので詳しい説明を省略する。
【００３５】
なお、参加者ＩＤ及びコミュニティＩＤは、バーコード及びＱＲコードにより埋め込まれる代わりに、電子透かしやＩＣタグに埋め込まれて（記憶され）名札に貼り付けられるようにしても良い。
【００３６】
ここで、参加者ＩＤは、全ての学会参加者に個別（一意）に与えられるものであり、複数の学会参加者（例えば、学会参加者Ａ及び学会参加者Ｂ等）間で重複しないように管理されている。また、コミュニティＩＤは、発足された全てのコミュニティに個別に与えられるものであり、複数のコミュニティ（コミュニティ名）間で重複しないように管理されている。
【００３７】
また、コミュニティとは、学会参加者の中でも、何らかの繋がりによって構成される集まりであり、グループの一種である。例えば、同じＸ会社に勤務する学会参加者が集まるコミュニティ（コミュニティ名は、「Ｘ会社コミュニティ」）、昭和６１年に大学等卒業した学会参加者が集まるコミュニティ（コミュニティ名は、「Ｓ６１卒コミュニティ」）、学会の会場で知り合い意気投合した学会参加者が集まるコミュニティ（コミュニティ名は、「意気投合コミュニティ」）等、多種多様の複数種類のコミュニティが存在することになる。
【００３８】
このようなコミュニティの登録（具体的には、コミュニティ名及びコミュニティＩＤの登録）は、後述するように、携帯端末１からの要求に応じて、情報管理サーバ２により行うようになっている。
【００３９】
なお、本実施形態においては、カードとして名札を例にとって説明するが、これに限定されるものではなく、例えば、各参加者の名刺であっても良く、この場合も、上記名札と同様の内容が表示される。
【００４０】
図３は、携帯端末１の概要構成例を示す図である。
【００４１】
図３に示すように、携帯端末１は、ＣＰＵ（Central Processing Unit）、作業用のＲＡＭ（Random Access Memory）、データ及びプログラムを記憶するＲＯＭ（Read Only Memory）等を備える情報処理部１１、各種情報を記憶する識別情報記憶手段としての記憶部（例えば、不揮発性メモリ等からなる）１２、アンテナ及びネットワークＮＴを介して情報管理サーバ２との間で通信を行うための通信部（例えば、通信機器、通信ポート等）１３、各種情報を表示する表示パネルを有する表示部１４、使用者からの各種操作指示を入力する入力手段としての操作部１５、及び上記ＱＲコードやバーコード等を撮影するカメラ１６等を備えている。
【００４２】
そして、ＣＰＵが例えばＲＯＭや記憶部１２に記憶されたプログラム（端末処理プログラムを含む）を実行することにより、情報処理部１１は、本発明の識別情報取得手段、参加登録要求送信手段、表示手段、新規登録要求送信手段、メッセージ登録要求送信手段、メッセージ要求送信手段、プロフィール要求送信手段、及びプレゼンス要求送信手段等として機能し、後述する処理を実行するようになっている。
【００４３】
なお、本発明に係る端末処理プログラムは、例えば、学会への参加手続きが行われた後に、情報管理サーバ２からダウンロードされ、インストールされるようになっている。また、図示しないが、携帯端末１は、ＩＣタグに記憶された情報を読み取るためのＩＣタグリーダを備えても良い。
【００４４】
記憶部１２には、携帯端末１を使用するユーザである学会参加者の参加者ＩＤが予め記憶されている。例えば、かかる参加者ＩＤは、携帯端末１から情報管理サーバ２に接続して学会への参加手続きを行うと発行され（情報管理サーバ２から携帯端末１に送信され）、記憶部１２に記憶されることになる。
【００４５】
また、情報処理部１１は、学会参加者の操作部１５を介した指示にしたがって、その学会参加者が所属するコミュニティのコミュティＩＤを有するＱＲコード、又は当該学会参加者の参加者ＩＤを有するバーコードを、表示部１４における表示画面上に表示するようになっている。
【００４６】
また、カメラ１６は、学会参加者の操作部１５を介した指示にしたがって、他の学会参加者の携帯端末１の表示画面上に表示されたＱＲコード又はバーコード、或いは、当該他の学会参加者の名札上に表示されたＱＲコード又はバーコードを撮影し、情報処理部１１は、当該撮影されたＱＲコード又はバーコードを読み取ることによってコミュティＩＤ又は参加者ＩＤを取得（ＲＡＭ等に記憶）するようになっている。
【００４７】
図４は、情報管理サーバ２の概要構成例を示す図である。
【００４８】
図４に示すように、情報管理サーバ２は、ＣＰＵ、作業用のＲＡＭ、データ及びプログラムを記憶するＲＯＭ等を備える情報処理部２１、各種情報を記憶する記憶部（例えば、ハードディスクドライブ等からなる）２２、ネットワークＮＴを介して携帯端末１との間で通信を行うための通信部（例えば、通信機器、通信ポート等）２３等を備えており、ＣＰＵが例えばＲＯＭや記憶部２２に記憶されたプログラム（情報管理処理プログラムを含む）を実行することにより、情報処理部２１は、本発明の参加登録要求受信手段、参加登録手段、新規登録要求受信手段、新規登録手段、メッセージ登録要求受信手段、メッセージ登録手段、メッセージ要求受信手段、メッセージ送信手段、識別情報付与手段、プロフィール要求受信手段、プロフィール情報送信手段、プレゼンス要求受信手段、及びプレゼンス情報送信手段等として機能し、後述する処理を実行するようになっている。
【００４９】
記憶部２２には、学会参加者情報データベース２２０と、コミュニティ情報データベース２２１と、建物情報データベース２２２と、が構築されている。
【００５０】
図５（Ａ）は、参加者情報データベース２２０におけるデータ構造の一例を示す図であり、図５（Ｂ）は、コミュニティ情報データベース２２１におけるデータ構造の一例を示す図である。図５（Ｃ）は、建物情報データベース２２２におけるデータ構造の一例を示す図である。
【００５１】
図５（Ａ）に示すように、参加者情報データベース２２０には、学会参加者の参加者ＩＤ、氏名（名称情報の一例）、プロフィール情報（例えば、勤務している会社名及び所属部署名、当該会社の住所及び電話番号、当該参加者の会社の電子メールアドレス、職歴、発表論文等）、人脈情報、所属コミュニティ情報、招待コミュニティ情報、及びプレゼンス情報等が対応付けられ、各学会参加者毎に蓄積されている。なお、参加者ＩＤ、氏名、及びプロフィール情報は、例えば、学会への参加手続きを行うことにより登録（初期段階に登録）される。
【００５２】
ここで、人脈情報には、他の学会参加者の名札又は携帯端末１を通じて（表示されたバーコードより）取得された参加者ＩＤ及び登録日時が含まれている。また、所属コミュニティ情報には、現在所属（参加）しているコミュニティのコミュニティＩＤ及び登録日時が含まれている。また、招待コミュニティ情報には、他の学会参加者の携帯端末１を通じて紹介された（未だ参加していない）コミュニティのコミュニティＩＤ及び登録日時が含まれている。また、プレゼンス情報には、例えば学会の会場となる建物の建物ＩＤ（建物毎（複数階ある場合には、建物且つ階毎）に個別のＩＤ）、その建物内のフロアにおける位置情報（位置座標（Ｘ，Ｙ））、及び登録日時等が含まれている。
【００５３】
図５（Ｂ）に示すように、コミュニティ情報データベース２２１には、コミュニティのコミュニティＩＤ、コミュニティ名、コミュニティＩＤを有するＱＲコードの画像データ、及びコミュニティに所属している学会参加者に対するメッセージ（メッセージ登録日時も含む）が対応付けられ、交流支援システムＳにおいて存在する各コミュニティ毎に蓄積されている。
【００５４】
図５（Ｃ）に示すように、建物情報データベース２２２には、現在行われている例えば学会の会場となる建物の建物ＩＤ、建物名（複数階ある場合には、階数も含む）、当該建物内のフロア（複数階ある場合には、各階のフロア毎）の平面画像データ、当該フロアにおいて学会参加者が携帯端末１（カメラ１６を用いて）によりプレゼンス情報を取得可能な複数の位置の位置座標及び夫々の位置に対応する対応情報等が対応付けられ、各建物（複数階ある場合には、建物且つ階毎）毎に蓄積されている。なお、このような情報は、学会開催期間中蓄積され、終了すると消去される。
【００５５】
ここで、上記対応情報としては、例えば、上記各位置に設置されたパネル上における動物の画像（位置毎に個別の画像）データ、或いは、当該各位置に貼り付けられたポスター上に印字されたＱＲコードが有する位置ＩＤ（位置毎に個別のＩＤ）が挙げられる。
【００５６】
次に、図６を参照して、本実施形態に係る交流支援システムＳの動作について説明する。
【００５７】
図６は、携帯端末１の表示部１４における表示画面の遷移例を示す図である。
【００５８】
例えば、携帯端末１Ａの学会参加者Ａが、操作部１５を操作して、コミュニティアプリケーションである端末処理プログラムを起動させると、携帯端末１Ａは予め設定されている情報管理サーバ２のアドレス情報にしたがってネットワークＮＴを介して情報管理サーバ２に接続し、図６に示すような、メニュー画面５１が表示部１４上に表示される。
【００５９】
かかるメニュー画面５１には、例えばカーソル（操作部１５の操作により上下に移動）により選択可能な「所属コミュニティ一覧」ボタン、「コミュニティへの参加登録」ボタン、「人脈情報の登録」ボタン、「プレゼンス情報の登録」ボタン、及び「新規コミュニティの登録」ボタンが表示される。
（１．所属コミュニティ一覧要求時の動作）
このようなメニュー画面５１の表示状態において、例えば学会参加者Ａが操作部１５を操作して「所属コミュニティ一覧」ボタンをカーソルにより選択し、図示しない決定ボタンを押下すると、携帯端末１Ａの情報処理部１１は、自己（学会参加者Ａ）の参加者ＩＤ（記憶部１２から取得）を含む所属コミュニティ一覧要求情報を、通信部１３及びネットワークＮＴ等を介して情報管理サーバ２に送信する。
【００６０】
その後、情報管理サーバ２が所属コミュニティ一覧要求情報を受信すると、情報処理部２１は、これに含まれる学会参加者Ａの参加者ＩＤを取得し、学会参加者情報データベース２２０を参照して、当該取得した参加者ＩＤに対応付けられている所属コミュニティ情報に含まれるコミュニティＩＤを全て（１つの場合もあるし、複数の場合もある）取得する。
【００６１】
次いで、情報処理部２１は、コミュニティ情報データベース２２１を参照して、上記取得した各コミュニティＩＤに対応するコミュニティ名を取得して、各コミュニティＩＤ及びコミュニティ名の組を含む所属コミュニティ一覧返信情報を、通信部２３及びネットワークＮＴ等を介して携帯端末１Ａに送信する。
【００６２】
その後、携帯端末１Ａが上記所属コミュニティ一覧返信情報を受信すると、情報処理部１１は、これに含まれる各コミュニティＩＤ及びコミュニティ名の組を取得し、当該取得したコミュニティ名が表示されたボタンが設けられた、図６に示すような、所属コミュニティ一覧画面５２を表示部１４上に表示する。このように表示されたコミュニティ名に係るコミュニティは、当該学会参加者Ａが所属しているコミュニティである。
【００６３】
そして、このような所属コミュニティ一覧画面５２の表示状態において、学会参加者Ａが操作部１５を操作して所望のコミュニティ名、例えば「Ｓ６１卒コミュニティ」ボタンをカーソルにより選択し、図示しない決定ボタンを押下すると、図６に示すような、Ｓ６１卒コミュニティ画面５３が表示される。
【００６４】
かかるＳ６１卒コミュニティ画面５３には、「メッセージの登録」ボタン、「メッセージの取得」ボタン、「登録メンバ一覧」ボタン、「ＱＲコードの表示」ボタン、及び「コミュニティへの招待」ボタンが表示される。
（２．メッセージ登録要求時の動作）
このようなＳ６１卒コミュニティ画面５３の表示状態において、学会参加者Ａが操作部１５を操作して「メッセージの登録」ボタンをカーソルにより選択し、図示しない決定ボタンを押下すると、携帯端末１Ａの情報処理部１１は、図示しないメッセージ入力画面を表示部１４上に表示する。かかるメッセージ入力画面の表示状態において、学会参加者Ａは、操作部１５を操作して、Ｓ６１卒コミュニティに所属している全ての学会参加者に対して通知したいメッセージを入力し、図示しない決定ボタンを押下すると、携帯端末１Ａの情報処理部１１は、上記Ｓ６１卒コミュニティに対応するコミュニティＩＤ及び入力されたメッセージを含むメッセージ登録要求情報を、通信部１３及びネットワークＮＴ等を介して情報管理サーバ２に送信する。
【００６５】
その後、情報管理サーバ２が上記メッセージ登録要求情報を受信すると、情報処理部２１は、これに含まれるコミュニティＩＤ及びメッセージを取得し、当該取得したコミュニティＩＤに対応付けて当該メッセージ及びその時の日時をコミュニティ情報データベース２２１に登録する。
【００６６】
なお、コミュニティ情報データベース２２１に登録されたメッセージは、例えば、登録日から所定期間後に消去されるか、或いは、各コミュニティ毎にメッセージ記憶容量を決めておき、記憶容量が一杯になった場合には、最も古いメッセージから優先して消去される。
【００６７】
また、メッセージ登録要求情報に参加者ＩＤを含めるようにし、当該参加者ＩＤに対応する氏名を参加者情報データベース２２０から取得して、上記メッセージに対応付けて登録しても良い。
（３．メッセージ要求時の動作）
一方、Ｓ６１卒コミュニティ画面５３の表示状態において、学会参加者Ａが操作部１５を操作して「メッセージの取得」ボタンをカーソルにより選択し、図示しない決定ボタンを押下すると、携帯端末１Ａの情報処理部１１は、上記Ｓ６１卒コミュニティに対応するコミュニティＩＤを含むメッセージ要求情報を、通信部１３及びネットワークＮＴ等を介して情報管理サーバ２に送信する。
【００６８】
その後、情報管理サーバ２が上記メッセージ要求情報を受信すると、情報処理部２１は、これに含まれるコミュニティＩＤを取得し、当該取得したコミュニティＩＤに対応付けられてメッセージが登録されているか否かを判別し、登録されている場合には、そのメッセージをコミュニティ情報データベース２２１から取得し、当該取得したメッセージを含むメッセージ返信情報を、通信部２３及びネットワークＮＴ等を介して携帯端末１Ａに送信する。
【００６９】
その後、携帯端末１Ａが上記メッセージ返信情報を受信すると、情報処理部１１は、これに含まれるメッセージを取得し、当該取得したメッセージが表示された、図６に示すような、メッセージ画面５４を表示部１４上に表示する。これにより、当該学会参加者Ａは、他の学会参加者により登録されたＳ６１卒コミュニティ宛てのメッセージを閲覧することができる。なお、メッセージ画面５４には、過去に登録された全てのメッセージが例えば十字ボタンによりスクロール表示可能になっている。
【００７０】
また、当該取得したコミュニティＩＤに対応付けられてメッセージが登録されていない場合には、メッセージ登録無を示す情報を含むメッセージ返信情報が携帯端末１Ａに送信され、その旨の情報が表示されることになる。
（４．登録メンバ一覧要求時の動作）
一方、Ｓ６１卒コミュニティ画面５３の表示状態において、学会参加者Ａが操作部１５を操作して「登録メンバ一覧」ボタンをカーソルにより選択し、図示しない決定ボタンを押下すると、携帯端末１Ａの情報処理部１１は、上記Ｓ６１卒コミュニティに対応するコミュニティＩＤを含む登録メンバ一覧要求情報を、通信部１３及びネットワークＮＴ等を介して情報管理サーバ２に送信する。
【００７１】
その後、情報管理サーバ２が上記登録メンバ一覧要求情報を受信すると、情報処理部２１は、これに含まれるコミュニティＩＤを取得し、当該取得したコミュニティＩＤが所属コミュニティ情報中に含まれている全ての学会参加者の参加者ＩＤ及び氏名の組を、参加者情報データベース２２０から取得し、当該取得した参加者ＩＤ及び氏名の組を含む登録メンバ一覧返信情報を、通信部２３及びネットワークＮＴ等を介して携帯端末１Ａに送信する。
【００７２】
その後、携帯端末１Ａが上記登録メンバ一覧返信情報を受信すると、情報処理部１１は、これに含まれる全ての参加者ＩＤ及び氏名の組を取得し、当該各氏名が表示されたボタンが設けられた、図６に示すような、登録メンバ一覧画面５５を表示部１４上に表示する。これにより、当該学会参加者Ａは、誰が当該コミュニティに所属しているかを確認することができる。
【００７３】
なお、登録メンバ一覧画面５５には、「プレゼンス情報の取得」ボタンが表示される。
（５．プロフィール情報要求時の動作）
そして、このような登録メンバ一覧画面５５の表示状態において、学会参加者Ａが操作部１５を操作して所望の氏名、例えば「Ｘ田太郎」ボタンをカーソルにより選択し、図示しない決定ボタンを押下すると、携帯端末１Ａの情報処理部１１は、当該氏名に対応する参加者ＩＤを含むプロフィール要求情報を、通信部１３及びネットワークＮＴ等を介して情報管理サーバ２に送信する。
【００７４】
その後、情報管理サーバ２が上記プロフィール要求情報を受信すると、情報処理部２１は、これに含まれる参加者ＩＤを取得し、当該取得した参加者ＩＤに対応付けられたプロフィール情報を参加者情報データベース２２０から取得し、当該プロフィール情報を、通信部２３及びネットワークＮＴ等を介して携帯端末１Ａに送信する。
【００７５】
その後、携帯端末１Ａが上記プロフィール情報を受信すると、情報処理部１１は、当該取得したプロフィール情報が表示された、図６に示すような、プロフィール情報画面５６を表示部１４上に表示する。これにより、当該学会参加者Ａは、所望の学会参加者のプロフィール情報を確認することができる。
（６．プレゼンス情報要求時の動作）
一方、登録メンバ一覧画面５５において、学会参加者Ａが操作部１５を操作して、「プレゼンス情報の取得」ボタンをカーソルにより選択し、図示しない決定ボタンを押下すると、携帯端末１Ａの情報処理部１１は、上記登録メンバ一覧返信情報から取得した全ての参加者ＩＤを含むプレゼンス要求情報を、通信部１３及びネットワークＮＴ等を介して情報管理サーバ２に送信する。
【００７６】
その後、情報管理サーバ２が上記プレゼンス要求情報を受信すると、情報処理部２１は、これに含まれる全ての参加者ＩＤを取得し、当該取得した各参加者ＩＤに対応付けられたプレゼンス情報が登録されているか否かを判別し、登録されている場合には、そのプレゼンス情報を参加者情報データベース２２０から取得する。
【００７７】
次いで、当該情報処理部２１は、上記取得した何れかのプレゼンス情報に含まれる建物ＩＤに対応付けられて登録されている建物名及び平面画像データを建物情報データベース２２２から取得し、当該取得した建物名及び平面画像データと、上記取得した夫々のプレゼンス情報及びこれに対応する参加者ＩＤの組と、を含むプレゼンス返信情報を、通信部２３及びネットワークＮＴ等を介して携帯端末１Ａに送信する。
【００７８】
その後、携帯端末１Ａがプレゼンス返信情報を受信すると、情報処理部１１は、これに含まれる上記取得した建物名及び平面画像データと、上記取得した夫々のプレゼンス情報及びこれに対応する参加者ＩＤの組と、を取得し、当該建物名及び平面画像が表示された、図６に示すような、建物フロア画面６２を表示部１４上に表示し、更に、上記取得した夫々のプレゼンス情報に含まれる位置情報（位置座標（Ｘ，Ｙ））に対応する上記平面画像上の位置に、夫々の参加者ＩＤに対応する氏名を表示する。これにより、学会参加者Ａは、例えば学会の会場において、例えばＳ６１卒コミュニティに所属する他の学会参加者がどこにいるかを確認することができ、迅速に出会うことができる。
【００７９】
なお、上記取得した各参加者ＩＤに対応付けられたプレゼンス情報が登録されていない場合には、プレゼンス情報登録無を示す情報を含むプレゼンス返信情報が携帯端末１Ａに送信され、その旨の情報が表示されることになる。
【００８０】
また、建物フロア画面６２の例では、Ｓ６１卒コミュニティに所属する他の学会参加者の氏名が表示されているが、これの代わりに、例えば、上記フロア内の各位置に設置された動物の画像であって夫々の携帯端末１により取得された画像を上記平面画像上における夫々の位置に表示させ、且つ、登録メンバ一覧画面５５では、各氏名のボタンの横に、夫々の氏名に対応する画像を表示させるように構成してもよい。
（７．ＱＲコード要求時の動作）
一方、Ｓ６１卒コミュニティ画面５３の表示状態において、学会参加者Ａが操作部１５を操作して「ＱＲコードの表示」ボタンをカーソルにより選択し、図示しない決定ボタンを押下すると、携帯端末１Ａの情報処理部１１は、上記Ｓ６１卒コミュニティに対応するコミュニティＩＤを含むＱＲコード要求情報を、通信部１３及びネットワークＮＴ等を介して情報管理サーバ２に送信する。
【００８１】
その後、情報管理サーバ２が上記ＱＲコード要求情報を受信すると、情報処理部２１は、これに含まれるコミュニティＩＤを取得し、当該取得したコミュニティＩＤに対応付けられたＱＲコードの画像データを、コミュニティ情報データベース２２１から取得し、当該取得したＱＲコードの画像データを含むＱＲコード返信情報を、通信部２３及びネットワークＮＴ等を介して携帯端末１Ａに送信する。
【００８２】
その後、携帯端末１Ａが上記ＱＲコード返信情報を受信すると、情報処理部１１は、これに含まれるＱＲコードの画像データを取得し、当該ＱＲコードが表示された、図６に示すような、ＱＲコード画面５７を表示部１４上に表示する。これにより、当該学会参加者Ａは、例えば学会の会場等で出会った他の学会参加者に表示されたＱＲコードを見せて、自己が所属しているコミュニティへ招待する（例えば、学会参加者Ｂが使用する携帯端末１Ｂのカメラにより読み取らせる）ことができる。
（８．人脈情報要求時の動作）
一方、Ｓ６１卒コミュニティ画面５３の表示状態において、学会参加者Ａが操作部１５を操作して「コミュニティへの招待」ボタンをカーソルにより選択し、図示しない決定ボタンを押下すると、携帯端末１Ａの情報処理部１１は、自己（学会参加者Ａ）の参加者ＩＤを含む人脈情報要求情報を、通信部１３及びネットワークＮＴ等を介して情報管理サーバ２に送信する。
【００８３】
その後、情報管理サーバ２が上記人脈情報要求情報を受信すると、情報処理部２１は、これに含まれる学会参加者Ａの参加者ＩＤを取得し、当該取得した参加者ＩＤに対応付けられた人脈情報中に参加者ＩＤが含まれているか否かを判別し、含まれている場合には、当該含まれている全ての学会参加者の参加者ＩＤを参加者情報データベース２２０から取得し、更に、当該取得した各参加者ＩＤに対応付けられた氏名を、参加者情報データベース２２０から取得し、当該参加者ＩＤ及び氏名の組を含む人脈情報返信情報を、通信部２３及びネットワークＮＴ等を介して携帯端末１Ａに送信する。
【００８４】
その後、携帯端末１Ａが上記人脈情報返信情報を受信すると、情報処理部１１は、これに含まれる全ての参加者ＩＤ及び氏名の組を取得し、当該各氏名が表示されたボタンが設けられた、図６に示すような、コミュニティへの招待画面５８を表示部１４上に表示する。
【００８５】
なお、上記取得した参加者ＩＤに対応付けられた人脈情報中に参加者ＩＤが含まれていない場合には、人脈情報無を示す情報を含む人脈情報返信情報が携帯端末１Ａに送信され、その旨の情報が表示されることになる。
（９．コミュニティ招待登録要求時の動作）
そして、このようなコミュニティへの招待画面５８の表示状態において、学会参加者Ａが操作部１５を操作して、当該コミュニティ（Ｓ６１卒コミュニティ）に招待したい学会参加者の氏名、例えば「Ｔ中次郎」ボタンをカーソルにより選択し、図示しない決定ボタンを押下すると、携帯端末１Ａの情報処理部１１は、当該氏名に対応する参加者ＩＤ及び当該コミュニティ（Ｓ６１卒コミュニティ）のコミュニティＩＤを含むコミュニティ招待登録要求情報を、通信部１３及びネットワークＮＴ等を介して情報管理サーバ２に送信する。
【００８６】
その後、情報管理サーバ２が上記コミュニティ招待登録要求情報を受信すると、情報処理部２１は、これに含まれる参加者ＩＤ及びコミュニティＩＤを取得し、当該取得した参加者ＩＤに対応付けられている招待コミュニティ情報中に上記取得したコミュニティＩＤ及びその時の日時を含めて、参加者情報データベース２２０に登録する。これにより、当該学会参加者Ａは、過去に出会い自己の人脈情報に登録された学会参加者を自分が所属しているコミュニティに後から招待することができる。
（１０．コミュニティへの参加登録要求時の動作）
一方、メニュー画面５１の表示状態において、学会参加者Ａが操作部１５を操作してカーソルにより「コミュニティへの参加登録」ボタンを選択し、図示しない決定ボタンを押下すると、図６に示すような、コミュニティへの参加登録画面５９が表示される。
【００８７】
かかるコミュニティへの参加登録画面５９には、「ＱＲコード読み取り」ボタン及び「招待コミュニティ一覧」ボタンが表示される。
【００８８】
このようなコミュニティへの参加登録画面５９の表示状態において、学会参加者Ａは、操作部１５を操作して、例えば「ＱＲコード読み取り」ボタンをカーソルにより選択し、図示しない決定ボタンを押下すると、携帯端末１Ａのカメラ１６が起動する。そして、学会参加者Ａは、例えば学会の会場等で出会った学会参加者Ｂから、その学会参加者Ｂが所属するコミュニティへの招待を口頭で受け、その学会参加者Ｂが携帯端末１Ｂ上に表示させたＱＲコード（当該学会参加者Ｂが所属しているコミュニティに対応する）又はその学会参加者Ｂの名札上に表示されたＱＲコードを、当該カメラ１６にて撮影すると、携帯端末１Ａの情報処理部１１は、撮影されたＱＲコードを読み取りコミュニティＩＤを取得（抽出）する。
【００８９】
次いで、携帯端末１Ａの情報処理部１１は、取得したコミュニティＩＤ及び自己（学会参加者Ａ）の参加者ＩＤを含むコミュニティ参加登録要求情報を、通信部１３及びネットワークＮＴ等を介して情報管理サーバ２に送信する。
【００９０】
その後、情報管理サーバ２が上記コミュニティ参加登録要求情報を受信すると、情報処理部２１は、これに含まれる学会参加者Ａの参加者ＩＤ及びコミュニティＩＤを取得し、当該取得した参加者ＩＤに対応付けられている所属コミュニティ中に上記取得したコミュニティＩＤ及びその時の日時を含めて、参加者情報データベース２２０に登録する。これにより、当該学会参加者Ａは、新たに紹介されたコミュニティに参加することができる。
【００９１】
一方、このようなコミュニティへの参加登録画面５９の表示状態において、学会参加者Ａは、操作部１５を操作して、例えば「招待コミュニティ一覧」ボタンをカーソルにより選択し、図示しない決定ボタンを押下すると、携帯端末１の情報処理部１１は、自己（学会参加者Ａ）の参加者ＩＤを含む招待コミュニティ一覧要求情報を、通信部１３及びネットワークＮＴ等を介して情報管理サーバ２に送信する。
【００９２】
こうして、情報管理サーバ２が招待コミュニティ一覧要求情報を受信すると、情報処理部２１は、これに含まれる学会参加者Ａの参加者ＩＤを取得し、当該取得した参加者ＩＤに対応付けられた招待コミュニティ情報中にコミュニティＩＤが含まれているか否かを判別し、含まれている場合には、当該含まれている全てのコミュニティＩＤを参加者情報データベース２２０から取得する。
【００９３】
次いで、情報処理部２１は、コミュニティ情報データベース２２１を参照して、上記取得した各コミュニティＩＤに対応するコミュニティ名を取得して、当該夫々のコミュニティＩＤ及びコミュニティ名の組を含む招待コミュニティ一覧返信情報を、通信部２３及びネットワークＮＴ等を介して携帯端末１Ａに送信する。
【００９４】
その後、携帯端末１Ａが上記招待コミュニティ一覧返信情報を受信すると、情報処理部１１は、これに含まれるコミュニティＩＤ及びコミュニティ名の組を取得し、当該コミュニティ名が表示されたボタンが設けられた、図６に示すような、招待コミュニティ一覧画面６０を表示部１４上に表示する。このように表示されたコミュニティ名に係るコミュニティは、当該学会参加者Ａが招待されたコミュニティである。
【００９５】
なお、上記取得した参加者ＩＤに対応付けられた招待コミュニティ情報中に参加者ＩＤが含まれていない場合には、招待コミュニティ無を示す情報を含む招待コミュニティ一覧返信情報が携帯端末１Ａに送信され、その旨の情報が表示されることになる。
【００９６】
そして、このような招待コミュニティ一覧画面６０の表示状態において、学会参加者Ａが操作部１５を操作して、招待されたコミュニティのうち、参加したいコミュニティ名のボタンをカーソルにより選択し、図示しない決定ボタンを押下すると、当該コミュニティ名に対応するコミュニティＩＤ及び自己（学会参加者Ａ）の参加者ＩＤを含むコミュニティ参加登録要求情報を、通信部１３及びネットワークＮＴ等を介して情報管理サーバ２に送信する。
【００９７】
その後、情報管理サーバ２が上記コミュニティ参加登録要求情報を受信すると、情報処理部２１は、これに含まれる学会参加者Ａの参加者ＩＤ及びコミュニティＩＤを取得し、当該取得した参加者ＩＤに対応付けられている所属コミュニティ中に上記取得したコミュニティＩＤ及びその時の日時を含めて、参加者情報データベース２２０に登録する。これにより、当該学会参加者Ａは、新たに紹介されたコミュニティに参加することができる。
【００９８】
なお、上記取得されたコミュニティＩＤが、所属コミュニティ情報として既に登録されていた場合には、再度登録する必要はない。
（１１．人脈情報登録要求時の動作）
一方、メニュー画面５１の表示状態において、学会参加者Ａが操作部１５を操作して「人脈情報の登録」ボタンをカーソルにより選択し、図示しない決定ボタンを押下すると、携帯端末１Ａのカメラ１６が起動する。そして、学会参加者Ａは、例えば学会の会場等で出会った学会参加者Ｂの名札上に表示されたバーコードを、当該カメラ１６にて撮影すると、携帯端末１Ａの情報処理部１１は、撮影されたバーコードを読み取って学会参加者Ｂの参加者ＩＤを取得（抽出）する。
【００９９】
次いで、携帯端末１Ａの情報処理部１１は、取得した学会参加者Ｂの参加者ＩＤ及び自己（学会参加者Ａ）の参加者ＩＤを含む人脈登録要求情報を、通信部１３及びネットワークＮＴ等を介して情報管理サーバ２に送信する。
【０１００】
その後、情報管理サーバ２が上記人脈登録要求情報を受信すると、情報処理部２１は、これに含まれる両参加者ＩＤを取得し、当該取得した学会参加者Ａの参加者ＩＤに対応付けられている人脈情報中に上記取得した学会参加者Ｂの参加者ＩＤ及びその時の日時を含めて、参加者情報データベース２２０に登録する。これにより、学会参加者Ａは、学会参加者Ｂを人脈情報中に登録することができる。
（１２．新規コミュニティ登録要求時の動作）
一方、メニュー画面５１の表示状態において、学会参加者Ａが操作部１５を操作して「新規コミュニティの登録」ボタンをカーソルにより選択し、図示しない決定ボタンを押下すると、図６に示すような、新規コミュニティの登録画面６１を表示部１４上に表示する。
【０１０１】
このように表示された新規コミュニティの登録画面６１には、新たなコミュニティ名の入力欄が設けられており、学会参加者Ａが操作部１５を操作して、新たに作りたいコミュニティの名称を入力し、図示しない決定ボタンを押下すると、情報処理部２１は、入力されたコミュニティ名を取得し、取得したコミュニティ名及び自己（学会参加者Ａ）の参加者ＩＤを含む新規コミュニティ登録要求情報を、通信部１３及びネットワークＮＴ等を介して情報管理サーバ２に送信する。
【０１０２】
その後、情報管理サーバ２が上記新規コミュニティ登録要求情報を受信すると、情報処理部２１は、これに含まれるコミュニティ名及び学会参加者Ａの参加者ＩＤを取得し、コミュニティ情報データベース２２１を参照して取得されたコミュニティ名が既に登録されているかを検索し、登録されていない場合には、当該コミュニティ名に対してコミュニティＩＤを付与（既に登録されているコミュニティＩＤとは重複しない固有のＩＤを付与、例えば、登録順に付与される連続番号）し、更に、当該コミュニティＩＤを持つＱＲコードを生成する。
【０１０３】
次いで、当該情報処理部２１は、上記取得したコミュニティ名、コミュニティＩＤ、及び当該コミュニティＩＤを有するＱＲコードの画像データの組を、コミュニティ情報データベース２２１に新たに登録し、更に、当該取得した学会参加者Ａの参加者ＩＤに対応付けられている所属コミュニティ中に上記新たなコミュニティＩＤ及びその時の日時を含めて、参加者情報データベース２２０に登録する。これにより、学会参加者Ａは、新たにコミュニティを登録することができる。
【０１０４】
なお、入力されたコミュニティ名が既に登録されている場合には、その旨の情報が携帯端末１Ａに送信され表示される。
（１３．プレゼンス情報登録要求時の動作）
一方、メニュー画面５１の表示状態において、学会参加者Ａが操作部１５を操作して「プレゼンス情報の登録」ボタンをカーソルにより選択し、図示しない決定ボタンを押下すると、携帯端末１Ａのカメラ１６が起動する。そして、学会参加者Ａは、例えば学会の会場におけるフロアの所定の位置に設置されたパネル上における動物の画像（ＱＲコードでも良い）を、例えば、図７に示すように、当該カメラ１６にて撮影すると、携帯端末１Ａの情報処理部１１は、撮影された画像データ（或いは、ＱＲコードから抽出した位置ＩＤ）及び自己（学会参加者Ａ）の参加者ＩＤを含むプレゼンス登録要求情報を、通信部１３及びネットワークＮＴ等を介して情報管理サーバ２に送信する。
【０１０５】
その後、情報管理サーバ２が上記プレゼンス登録要求情報を受信すると、情報処理部２１は、これに含まれる学会参加者Ａの参加者ＩＤ及び画像データを取得し、建物情報データベース２２２における対応情報のうち、上記取得した画像データと同一又は類似（輪郭や色により判断）の画像データ（或いは、上記位置ＩＤ）を含む対応情報を選定し、当該選定した対応情報に対応付けられている位置情報（位置座標）及び建物ＩＤを取得する。
【０１０６】
次いで、当該情報処理部２１は、上記取得した学会参加者Ａの参加者ＩＤに対応付けられているプレゼンス情報中に上記取得した位置情報、建物ＩＤ及びその時の日時を含めて、参加者情報データベース２２０に登録する。これにより、上記コミュニティにおける他の学会参加者は、学会の会場に来た学会参加者Ａの現在位置を迅速に確認することができる。
【０１０７】
以上説明したように、上記実施形態によれば、各学会参加者は、自己の携帯端末１を用いて様々な目的に合ったコミュニティを簡単に作り（形成し）登録することができ、当該コミュニティに適合した他の学会参加者であって実際に出会った人を、そのコミュニティに招待して参加させることができる。従って、学会参加者間の交流を促進させ、様々なコミュニティの活性化を図ることができる。
【０１０８】
更に、例えば、図８に示すような、学会参加者ＡからＤまでの連鎖的な人脈を利用し、例えば学会参加者Ａが学会参加者Ｃ及びＤに出会っていなかったとしても、それらの学会参加者をコミュニティに参加させることができるので、より一層、コミュニティの活性化を図ることができる。
【図面の簡単な説明】
【０１０９】
【図１】本実施形態に係る交流支援システムの全体構成例を示す図である。
【図２】学会参加者に与えられる名札の表面の一例を示す図である。
【図３】携帯端末１の概要構成例を示す図である。
【図４】情報管理サーバ２の概要構成例を示す図である。
【図５】（Ａ）は、参加者情報データベース２２０におけるデータ構造の一例を示す図であり、（Ｂ）は、コミュニティ情報データベース２２１におけるデータ構造の一例を示す図である。（Ｃ）は、建物情報データベース２２２におけるデータ構造の一例を示す図である。
【図６】携帯端末１の表示部１４における表示画面の遷移例を示す図である。
【図７】学会の会場におけるフロアの所定の位置に設置されたパネル上における動物の画像を携帯端末１のカメラ１６にて撮影する様子の一例を示す図である。
【図８】学会参加者ＡからＤまでの連鎖的な人脈を利用してコミュニティに参加させる様子の一例を示す図である。
【符号の説明】
【０１１０】
１Ａ，１Ｂ，１Ｃ，１Ｄ  携帯端末
２  情報管理サーバ
１１  情報処理部
１２  記憶部
１３  通信部
１４  表示部
１５  操作部
１６  カメラ
２１  情報処理部
２２  記憶部
２２０  学会参加者情報データベース
２２１  コミュニティ情報データベース
２２２  建物情報データベース
２３  通信部
ＮＴ  ネットワーク
Ｓ  交流支援システム
【図１】
2007206740.tif 000003
【図２】
2007206740.tif 000004
【図３】
2007206740.tif 000005
【図４】
2007206740.tif 000006
【図５】
2007206740.tif 000007
【図６】
2007206740.tif 000008
【図７】
2007206740.tif 000009
【図８】
2007206740.tif 000010